(57)【要約】  差分符号化を使用して、効率的にチャネル状態情報を送信するための技法が記述される。差分符号化は、空間を横切って、周波数を横切って、空間と周波数を横切って、空間、周波数および時間、または次元の他のいくつかの組合せを横切って行なわれるかもしれない。１つの設計において、空間的状態情報は、複数のサブバンド上の複数の空間的チャネルについて決定されるかもしれない。空間的チャネルは、異なるアンテナ、異なるプリコーディング・ベクトル、などに対応するかもしれない。チャネル品質インディケーター（ＣＱＩ）値は、複数のサブバンド上の複数の空間的チャネルについて得られるかもしれない。前記ＣＱＩ値は、差分ＣＱＩ情報を得るために複数の空間的チャネルおよび複数のサブバンドを横切って差分的に符号化されるかもしれない。別の設計において、ＣＱＩ値は、複数の時間区間における複数のサブバンド上の複数の空間的チャネルについて得られるかもしれないし、空間、周波数および時間を横切って差分的に符号化されるかもしれない。前記差分ＣＱＩ情報および空間的状態情報はフィードバックとして送信されるかもしれない。
2009531993.tif 000002
【特許請求の範囲】
【請求項１】
複数のサブバンド上の複数の空間的チャネルについてチャネル品質インディケーター（ＣＱＩ）値を得るように、そして、差分ＣＱＩ情報を得るために前記複数の空間的チャネルおよび前記複数のサブバンドを横切って、前記ＣＱＩ値を差分的に符号化するように、さらに、フィードバックとして前記差分ＣＱＩ情報を送信するように構成されるプロセッサと、
前記プロセッサに結合されるメモリと、
を含む装置。
【請求項２】
前記プロセッサは、参照ＣＱＩ値に関して前記複数の空間的チャネルおよび前記複数のサブバンドを横切って前記ＣＱＩ値を差分的に符号化するように、かつ、前記差分ＣＱＩ情報と共に前記参照ＣＱＩ値を送信するように、構成される、請求項１の装置。
【請求項３】
前記参照ＣＱＩ値は、指定のサブバンド上の指定の空間的チャネルのＣＱＩ値である、請求項２の装置。
【請求項４】
前記参照ＣＱＩ値は、前記複数の空間的チャネルおよび前記複数のサブバンドの平均ＣＱＩ値である、請求項２の装置。
【請求項５】
前記参照ＣＱＩ値は、指定のサブバンド上の前記複数の空間的チャネルの平均ＣＱＩ値である、請求項２の装置。
【請求項６】
前記参照ＣＱＩ値は、前記複数のサブバンド上の指定の空間的チャネルの平均ＣＱＩ値である、請求項２の装置。
【請求項７】
前記プロセッサは、最初に、前記複数の空間的チャネルを横切って前記ＣＱＩ値を差分的に符号化するように、そして、次に、前記複数のサブバンドを横切って前記ＣＱＩ値を差分的に符号化するように、構成される、請求項１の装置。
【請求項８】
前記プロセッサは、最初に、前記複数のサブバンドを横切って前記ＣＱＩ値を差分的に符号化するように、そして、次に、前記複数の空間的チャネルを横切って前記ＣＱＩ値を差分的に符号化するように、構成される、請求項１の装置。
【請求項９】
前記複数の空間的チャネルは、指定の空間的チャネルと少なくとも１つの非指定の空間的チャネルを含み、前記複数のサブバンドは、指定のサブバンドと少なくとも１つの非指定のサブバンドを含み、そして、前記プロセッサは、各非指定のサブバンドについて差分ＣＱＩ情報を送信するように構成される、請求項１の装置。
【請求項１０】
前記プロセッサは、前記サブバンド上の前記複数の空間的チャネルのＣＱＩ値に基づいて各サブバンド上で、前記少なくとも１つの非指定の空間的チャネルについて少なくとも１つの差分ＣＱＩ値を決定するように構成される、請求項９の装置。
【請求項１１】
各非指定のサブバンドについて、前記プロセッサは、前記非指定のサブバンド上の前記指定の空間的チャネルについてのＣＱＩ値と、前記指定のサブバンド上の前記指定の空間的チャネルのＣＱＩ値との間の差分を決定するように、そして、前記非指定のサブバンド上の前記少なくとも１つの非指定の空間的チャネルについての少なくとも１つの差分ＣＱＩ値と、前記指定サブバンド上の前記少なくとも１つの非指定の空間的チャネルについての少なくとも１つの差分ＣＱＩ値との間の差分を決定するように、構成される、請求項１０の装置。
【請求項１２】
各非指定のサブバンドについて、前記プロセッサは、前記非指定のサブバンド上の前記指定の空間的チャネルについてのＣＱＩ値と、隣接したサブバンド上の前記指定の空間的チャネルついてのＣＱＩ値との間の差分を決定するように、そして、前記非指定のサブバンド上の前記少なくとも１つ非指定の空間的チャネルについての少なくとも１つの差分ＣＱＩ値と、前記隣接したサブバンド上の前記少なくとも１つの非指定の空間的チャネルについての少なくとも１つの差分ＣＱＩ値との間の差分を決定するように、構成される、請求項１０の装置。
【請求項１３】
各非指定のサブバンドについて、前記プロセッサは、前記指定の空間的チャネルについての差分ＣＱＩ値を得るように、前記少なくとも１つの非指定の空間的チャネルについて少なくとも１つの差分ＣＱＩ値を得るように、前記指定の空間的チャネルについての前記差分ＣＱＩ値と、前記少なくとも１つの非指定の空間的チャネルについての前記少なくとも１つの差分ＣＱＩ値とを、インデックスへマップするように、そして、前記非指定のサブバンドについての差分ＣＱＩ情報として前記インデックスを送信するように、構成される、請求項９の装置。
【請求項１４】
前記プロセッサは、前記複数のサブバンドの少なくとも１つについて空間的状態情報を決定するように、そして、前記空間的状態情報をフィードバックとして送信するように、構成される、請求項１の装置。
【請求項１５】
前記複数の空間的チャネルは、伝送に利用可能な複数のアンテナの中から選択された複数のアンテナに対応する、そして、前記空間的状態情報は、前記選択されたアンテナを伝える、請求項１４の装置。
【請求項１６】
前記複数の空間的チャネルは、伝送に利用可能な複数のプリコーディング・ベクトルの中から選択された、複数のプリコーディング・ベクトルに対応する、そして、前記空間的状態情報は、前記選択されたプリコーディング・ベクトルを伝える、請求項１４の装置。
【請求項１７】
複数のサブバンド上の複数の空間的チャネルについてチャネル品質インディケーター（ＣＱＩ）値を得ることと、
差分ＣＱＩ情報を得るために、前記複数の空間的チャネルおよび前記複数のサブバンドを横切って前記ＣＱＩ値を差分的に符号化することと、
フィードバックとして前記差分ＣＱＩ情報を送信することと、
を含む方法。
【請求項１８】
前記ＣＱＩ値を前記差分的に符号化することは、    
最初に、前記複数の空間的チャネルを横切って前記ＣＱＩ値を差分的に符号化することと、
次に、前記複数のサブバンドを横切って前記ＣＱＩ値を差分的に符号化することと、
を含む請求項１７の方法。
【請求項１９】
前記複数の空間的チャネルは、指定の空間的チャネルおよび少なくとも１つの非指定空間的チャネルを含み、前記複数のサブバンドは、指定のサブバンドおよび少なくとも１つの非指定のサブバンドを含み、そして、差分ＣＱＩ情報は、各非指定のサブバンドについて送信される、請求項１７の方法。
【請求項２０】
前記ＣＱＩ値を前記差分的に符号化することは、各非指定のサブバンドについて、
前記指定の空間的チャネルについて差分ＣＱＩ値を得ることと、
前記少なくとも１つの非指定の空間的チャネルについて少なくとも１つの差分ＣＱＩ値を得ることと、
前記指定の空間的チャネルについての前記差分ＣＱＩ値と、前記少なくとも１つの非指定の空間的チャネルについての前記少なくとも１つの差分ＣＱＩ値を、インデックスにマッピングすることと、
を含む請求項１９の方法。
【請求項２１】
複数のサブバンド上の複数の空間的チャネルについてチャネル品質インディケーター（ＣＱＩ）値を得るための手段と、
差分ＣＱＩ情報を得るために前記複数の空間的チャネルおよび前記複数のサブバンドを横切って前記ＣＱＩ値を差分的に符号化するための手段と、
フィードバックとして前記差分ＣＱＩ情報を送信するための手段と、
を含む装置。
【請求項２２】
前記ＣＱＩ値を差分的に符号化するための手段は、
最初に、前記複数の空間的チャネルを横切って前記ＣＱＩ値を差分的に符号化するための手段と、
次に、前記複数のサブバンドを横切って前記ＣＱＩ値を差分的に符号化するための手段と、
を含む、請求項２１の装置。
【請求項２３】
前記複数の空間的チャネルは、指定の空間的チャネルおよび少なくとも１つの非指定の空間的チャネルを含み、そして、前記複数のサブバンドは、指定のサブバンドおよび少なくとも１つの非指定のサブバンドを含み、さらに、
前記ＣＱＩ値を差分的に符号化するための手段は、各非指定のサブバンドについて、
前記指定の空間的チャネルについて差分ＣＱＩ値を得るための手段と、
前記少なくとも１つの非指定の空間的チャネルについて少なくとも１つの差分ＣＱＩ値を得るための手段と、
前記指定の空間的チャネルについての前記差分ＣＱＩ値と、前記少なくとも１つの非指定の空間的チャネルについての前記少なくとも１つの差分ＣＱＩ値とをインデックスにマップするための手段と、
を含む、請求項２１の装置。
【請求項２４】
複数のサブバンド上の複数の空間的チャネルについてチャネル品質インディケーター（ＣＱＩ）値を得るための第１の命令セットと、
差分ＣＱＩ情報を得るために前記複数の空間的チャネルおよび前記複数のサブバンドを横切って前記ＣＱＩ値を差分的に符号化するための第２の命令セットと、
フィードバックとして前記差分ＣＱＩ情報を送信するための第３の命令セットと、
を含む、その上に格納された命令を含むプロセッサ可読媒体。
【請求項２５】
前記第２の命令セットは、
最初に、前記複数の空間的チャネルを横切って前記ＣＱＩ値を差分的に符号化するための第４の命令セットと、
次に、前記複数のサブバンドを横切って前記ＣＱＩ値を差分的に符号化するための第５の命令セットと、
を含む、請求項２４のプロセッサ可読媒体。
【請求項２６】
前記複数の空間的チャネルは、指定の空間的チャネルおよび少なくとも１つの非指定の空間的チャネルを含み、そして、前記複数のサブバンドは指定のサブバンドおよび少なくとも１つの非指定のサブバンドを含み、さらに、前記第２の命令セットは、
各非指定のサブバンド上の前記指定の空間的チャネルについて差分ＣＱＩ値を得るための第４の命令セットと、
各非指定のサブバンド上の前記少なくとも１つの非指定の空間的チャネルについて前記少なくとも１つの差分ＣＱＩ値を得るための第５の命令セットと、
前記指定の空間的チャネルについての前記差分ＣＱＩ値と、各非指定のサブバンド上の前記少なくとも１つの非指定の空間的チャネルについて前記少なくとも１つの差分ＣＱＩ値とを、インデックスへマッピングするための第６の命令セット、
を含む、請求項２４のプロセッサ可読媒体。
【請求項２７】
複数の空間的チャネルについてチャネル品質インディケーター（ＣＱＩ）値を得るように、差分ＣＱＩ情報を得るために前記複数の空間的チャネルを横切って前記ＣＱＩ値を差分的に符号化するように、そして、フィードバックとして前記差分ＣＱＩ情報を送信するように、構成されるプロセッサと、
前記プロセッサに結合されるメモリと、
を含む装置。
【請求項２８】
前記プロセッサは、伝送のために利用可能な複数のサブバンドの中から選択されたサブバンド上の前記複数の空間的チャネルについて前記ＣＱＩ値を得るように構成される、請求項２７の装置。
【請求項２９】
前記プロセッサは、伝送のために利用可能な複数のサブバンドを通して平均することにより前記複数の空間的チャネルについて前記ＣＱＩ値を得るように、構成される、請求項２７の装置。
【請求項３０】
前記プロセッサは、複数の時間区間における複数の空間的チャネルについてＣＱＩ値を得るように、そして、各時間区間について差分ＣＱＩ情報を得るために前記複数の空間的チャネルおよび前記複数の時間区間を横切って、ＣＱＩ値を差分的に符号化するように、構成される、請求項２７の装置。
【請求項３１】
複数のサブバンドについてチャネル品質インディケーター（ＣＱＩ）値を得るように、差分ＣＱＩ情報を得るために前記複数のサブバンドを横切って前記ＣＱＩ値を差分的に符号化するように、そして、フィードバックとして前記差分ＣＱＩ情報を送信するように、構成されるプロセッサと、
前記プロセッサに結合されるメモリと、
を含む装置。
【請求項３２】
前記プロセッサは、伝送ために利用可能な複数の空間的チャネルの中から選択された１つの空間的チャネルについて前記複数のサブバンドのＣＱＩ値を得るように、構成される、請求項３１の装置。
【請求項３３】
前記プロセッサは、伝送のために利用可能な複数の空間的チャネルを通して平均することにより前記複数のサブバンドについてＣＱＩ値を得るように、構成される、請求項３１の装置。
【請求項３４】
前記プロセッサは、複数の時間区間における前記複数のサブバンドについてＣＱＩ値を得るように、そして、各時間区間について差分ＣＱＩ情報を得るために前記複数のサブバンドおよび前記複数の時間区間を横切って、前記ＣＱＩ値を差分的に符号化するように、構成される、請求項３１の装置。
【請求項３５】
複数の時間区間における複数のサブバンド上の複数の空間的チャネルについてチャネル品質インディケーター（ＣＱＩ）値を得るように、差分ＣＱＩ情報を得るために前記複数の空間的チャネル、前記複数のサブバンドおよび前記複数の時間区間を横切って、ＣＱＩ値を差分的に符号化するように、そして、フィードバックとして前記差分ＣＱＩ情報を送信するように、構成されるプロセッサと、
前記プロセッサに結合されるメモリと、
を含む装置。
【請求項３６】
前記プロセッサは、前記時間区間について差分ＣＱＩ値を得るために、各時間区間において、前記複数の空間的チャネルおよび前記複数のサブバンドを横切って前記ＣＱＩ値を差分的に符号化するように、構成される、請求項３５の装置。
【請求項３７】
前記プロセッサは、各時間区間において、最初に、前記複数の空間的チャネルを横切って前記ＣＱＩ値を差分的に符号化するように、そして、次に、前記複数のサブバンドを横切って前記ＣＱＩ値を差分的に符号化するように、構成される、請求項３５の装置。
【請求項３８】
前記複数の時間区間は、指定時間区間および少なくとも１つの非指定時間区間を含み、
そして、各非指定時間区間について、前記プロセッサは、前記非指定の時間区間についての前記差分ＣＱＩ値と、前の時間区間についての前記差分ＣＱＩ値との間の差分を決定するように構成される、請求項３６の装置。
【請求項３９】
前記プロセッサは、前記指定時間区間についての差分ＣＱＩ情報として、前記指定時間区間の差分ＣＱＩ値を送信するように、そして、前記非指定時間区間ついての差分ＣＱＩ情報として、各非指定時間区間の差分ＣＱＩ値における前記差分を送信するように、構成される、請求項３８の装置。
【請求項４０】
複数の時間区間における複数のサブバンド上の複数の空間的チャネルについてチャネル品質インディケーター（ＣＱＩ）値を得ることと、
差分ＣＱＩ情報を得るために、前記複数の空間的チャネル、前記複数のサブバンド、および前記複数の時間区間を横切って前記ＣＱＩ値を差分的に符号化することと、
フィードバックとして前記差分ＣＱＩ情報を送信することと、
を含む方法。
【請求項４１】
前記複数の時間区間は、指定時間区間および少なくとも１つの非指定時間区間を含み、
そして、
前記ＣＱＩ値を差分的に符号化することは、
前記時間区間の差分ＣＱＩ値を得るために各時間区間における前記複数のサブバンドおよび前記複数の空間的チャネルを横切って前記ＣＱＩ値を差分的に符号化することと、  
非指定時間区間についての差分ＣＱＩ値と、前の時間区間についての差分ＣＱＩ値との間の差分を決定することと、
を含む、請求項４０の方法。
【請求項４２】
前記差分ＣＱＩ情報を送信することは、
前記指定時間区間についての差分ＣＱＩ情報として前記指定時間区間の前記差分ＣＱＩ値を送信することと、  
前記非指定時間区間についての差分ＣＱＩ情報として各非指定時間区間の差分ＣＱＩ値における前記差分を送信することと、
を含む、請求項４１の方法。
【請求項４３】
第１の動作モードにいる間、第１の報告モードに従ってチャネル品質インディケーター（ＣＱＩ）情報を報告するように、そして、第２の動作モードにいる間、第２の報告モードに従ってＣＱＩ情報を報告するように、構成されるプロセッサと、
前記プロセッサに結合されるメモリと、
を含む装置。
【請求項４４】
前記プロセッサは、第１の報告モードについて、伝送のために利用可能な複数のサブバンドの中から選択された少なくとも１つのサブバンド上の複数の空間的チャネルについてＣＱＩ値を得るように、そして、前記第１の報告モードについて前記ＣＱＩ情報を得るために前記少なくとも１つの選択されたサブバンド上の前記複数の空間的チャネルを横切って前記ＣＱＩ値を差分的に符号化するように、構成される、請求項４３の装置。
【請求項４５】
前記プロセッサは、前記第１の報告モードについて、伝送に利用可能な複数のサブバンドの中から選択された少なくとも１つのサブバンド上の複数の空間的チャネルについてのＣＱＩ値を得るように、前記空間的チャネルについて平均のＣＱＩ値を得るために、前記少なくとも１つの選択されたサブバンドを横切ってそれぞれの空間的チャネルについてのＣＱＩ値を平均するように、そして、前記第１の報告するモードについての前記ＣＱＩ情報を得るために前記複数の空間的チャネルを横切って、平均ＣＱＩ値を差分的に符号化するように、構成される、請求項４３の装置。
【請求項４６】
前記プロセッサは、前記第２の報告するモードのために、伝送に利用可能な複数のサブバンド上の複数の空間的チャネルについてのＣＱＩ値を得るように、そして前記第２の報告するモードについての前記ＣＱＩ情報を得るために前記複数の空間的チャネルおよび前記複数のサブバンドを横切って、前記ＣＱＩ値を差分的に符号化するように、構成される、
請求項４３の装置。
【請求項４７】
前記プロセッサは、前記第１の報告モードにおいて第１のレートで前記ＣＱＩ情報を送信するように、そして、前記第２の報告モードにおいて前記第１のレートよりも遅い第２のレートで前記ＣＱＩ情報を送信するように、構成される請求項４３の装置。
【請求項４８】
前記プロセッサは、送信の予定の時には、前記第１の動作モードに移行するように、
そして、送信の予定でない時には前記第２の動作モードに移行するように、構成される
請求項４３の装置。
【請求項４９】
第１の動作モードにいる間、第１の報告モードに従ってチャネル品質インディケーター（ＣＱＩ）情報を報告することと、
第２の動作モードにいる間、第２の報告モードに従ってＣＱＩ情報を報告することと、
を含む方法。
【請求項５０】
前記の第１の報告モードに従って前記ＣＱＩ情報を報告することは、
伝送に利用可能な複数のサブバンドの中から選択された少なくとも１つのサブバンド上の複数の空間的チャネルについてＣＱＩ値を得ることと、
前記第１の報告モードについて前記ＣＱＩ情報を得るために、前記少なくとも１つの選択されたサブバンド上の前記複数の空間的チャネルを横切って前記ＣＱＩ値を差分的に符号化することと、
を含む、請求項４９の方法。
【請求項５１】
前記第２の報告モードに従って前記ＣＱＩ情報を報告することは、
伝送に利用可能な複数のサブバンド上の複数の空間的チャネルについてＣＱＩ値を得ることと、
前記第２の報告モードについて前記ＣＱＩ情報を得るために複数の空間的チャネルおよび複数のサブバンドを横切ってＣＱＩ値を差分的に符号化することと、
を含む請求項４９の方法。
【発明の詳細な説明】
【技術分野】
【０００１】
本出願は、２００６年３月２７日に提出された「ダウンリンクＭＩＭＯ−ＯＦＤＭＡサブバンド・スケジューリングのためのチャネル状態フィードバック（CHANNEL STATE FEEDBACK FOR DOWNLINK MIMO-OFDMA SUB-BAND SCHEDULING）」と題する連続番号６０／７８６，４４５であって、この譲受人に譲渡され、参照によってここに組込まれる米国の仮出願の優先権を主張する。
【０００２】
本開示は、一般に通信に関係しており、そしてより具体的には、チャネル状態情報の送信についての技法に関係している。
【背景技術】
【０００３】
無線通信システムにおいて、基地局は、複数（Ｒ個）の受信アンテナを装備した端末に対するデータ伝送用の複数（Ｔ個）の送信アンテナを利用することができる。複数の送信および受信アンテナは、処理能力を増加させ、および／または信頼性を改善するために使用され得る、複数入力・複数出力（multiple-input multiple-output）（ＭＩＭＯ）チャネルを形成する。例えば、基地局は、処理能力を向上させるためにＴ個の送信アンテナから同時にＴ個までのデータ・ストリームを送信するかもしれない。あるいは、基地局は、端末による受信を改善するために、すべてのＴ個の送信アンテナから単一のデータストリームを送信するかもしれない。
【０００４】
良いパフォーマンスは、データ伝送について最高の全体的な処理能力を実現することができるように、ＭＩＭＯチャネル経由で１つ以上のデータ・ストリームを送信することにより実現されるかもしれない。これを容易にするために、端末はＭＩＭＯチャネルの応答を評価し、基地局へチャネル状態情報を送信するかもしれない。チャネル状態情報は、どれだけのデータ・ストリームを送信するべきであるか、データ・ストリームを送信する方法、および各データ・ストリームについてのチャネル品質インディケーター（channel quality indicator）（ＣＱＩ）、を示すかもしれない。各データ・ストリームのＣＱＩは、そのデータ・ストリームについての受信されたＳＮ比（signal-to-noise ratio）（ＳＮＲ）を示すかもしれない、そして、そのデータ・ストリームについて適切なレートを選択するために使用されるかもしれない。チャネル状態情報は、端末へのデータ伝送のパフォーマンスを改善するかもしれない。しかしながら、端末は、基地局へチャネル状態情報を送信するために大量の無線リソースを浪費するかもしれない。
【０００５】
したがって、無線通信システムにおけるチャネル状態情報を効率的に送信するべき技法の分野おいてニーズがある。
【発明の開示】
【発明の概要】
【０００６】
無線通信システムにおけるチャネル状態情報を効率的に送信するための技法が、ここに説明される。一態様において、差分符号化（differential encoding）は、送信するべきチャネル状態情報の量を減らすために使用され得る。差分符号化は、実際の値の代わりに、値の間の差分（difference）を伝えることを表す。差分符号化は、空間を横切って、周波数を横切って、空間と周波数を横切って、空間、周波数および時間、または次元の他のある組合せを横切ってＣＱＩ値上で遂行され得る。
【０００７】
１つの設計において、空間的状態情報は、複数のサブバンド上の複数の空間的チャネル（spatial channel）について決定されるかもしれない。空間的チャネルは、異なるアンテナ、異なるプリコーディング・ベクトル、などに対応するかもしれない。空間的状態情報は、データ伝送について使用するために、アンテナの特有のセット、プリコーディング・ベクトルの特有のセットなどを示すかもしれない。ＣＱＩ値は、複数のサブバンド上の複数の空間的チャネルについて得られるかもしれない。ＣＱＩ値は、差分ＣＱＩ情報を得るために複数の空間的チャネルおよび複数のサブバンドを横切って差分的に符号化されるかもしれない。それは種々の差分ＣＱＩ値を含むかもしれない。別の設計において、ＣＱＩ値は、複数の時間区間における複数のサブバンド上の複数の空間的チャネルについて得られるかもしれない、そして、空間、周波数および時間を横切って差分的に符号化されるかもしれない。いずれにせよ、差分ＣＱＩ情報および空間的状態情報は、フィードバックとして送信されるかもしれない。
【０００８】
別の態様において、異なるチャネル状態情報は、異種混合（heterogeneous）の報告と共に異なる動作モードにおいて送信されるかもしれない。１つの設計において、第１の動作モード（例、スケジュール・モード）にいる間、ＣＱＩ情報は、第１の報告モードに従って報告されるかもしれない。第２の動作モード（例、非スケジュール・モード）にいる間、ＣＱＩ情報は、第２の報告モードに従って報告されるかもしれない。ＣＱＩ情報は、異なる報告モードについて、異なる方式で生成され、および／または異なるレートで送信されるかもしれない。
【０００９】
本開示の種々の態様および特徴は、下記においてさらに詳細に説明される。
【詳細な説明】
【００１０】
チャネル状態情報の送信についてここに説明される技法は、ＭＩＭＯ伝送をサポートし、任意の形態の周波数分割多重（ＦＤＭ）を利用する種々の通信システムについて使用され得る。例えば、その技法は、直交ＦＤＭ（ＯＦＤＭ）、単一キャリアのＦＤＭ（ＳＣ−ＦＤＭ）、などを利用するシステムについて使用され得る。ＯＦＤＭおよびＳＣ−ＦＤＭは、システムの帯域幅を複数（Ｋ個）の直交サブキャリアへ分割する。それらはトーン、ビン、などとも呼ばれる。サブキャリアは、それぞれデータで変調されるかもしれない。一般に、変調シンボルは、ＯＦＤＭでは周波数領域、およびＳＣ−ＦＤＭでは時間領域において送信される。
【００１１】
その技法は、またダウンリンクかアップリンク上のチャネル状態情報を送信するためにも使用され得る。ダウンリンク（あるいはフォワードリンク）は、基地局から端末への通信リンクを指す。そして、アップリンク（あるいはリバースリンク）は端末から基地局への通信リンクを指す。明快さのために、技法はアップリンク上のチャネル状態情報の送信について以下に説明される。
【００１２】
図１は、無線通信システム１００における、基地局１１０および端末１５０の設計のブロック図を示す。基地局１１０は、ノードＢ、発展した（evolved）ノードＢ（eNode B）、アクセス・ポイント、などとも呼ばれるかもしれない。端末１５０は、ユーザ装置（user equipment）（ＵＥ）、移動局、アクセス端末、加入者ユニット、局、などとも呼ばれるかもしれない。端末１５０は、携帯電話、携帯情報端末（ＰＤＡ）、無線通信装置、ハンドヘルド装置、無線モデム、ラップトップ・コンピュータ、などかもしれない。基地局１１０は、複数（Ｔ個）のアンテナ１３４ａから１３４ｔを装備している。端末１５０は、複数（Ｒ個）のアンテナ１５２ａから１５２ｒを装備している。各送信アンテナおよび各受信アンテナは、それぞれ１つ物理的なアンテナまたは１つのアレーアンテナかもしれない。
【００１３】
基地局１１０において、送信（ＴＸ）データ・プロセッサ１２０は、データソース１１２からトラフィックデータを受信し、パケットフォーマットに従ってトラフィックデータを処理（例、フォーマット、符号化、インターリーブ、およびシンボルマッピング）し、そして、データシンボルを生成するかもしれない。ここに使用されるように、データシンボルは、データについてのシンボルであり、パイロットシンボルはパイロットについてのシンボルであり、そして、シンボルは一般的に複素数値である。データシンボルとパイロットシンボルは、ＰＳＫまたはＱＡＭのような変調スキームによる変調シンボルかもしれない。パイロットは、基地局および端末の両方によって先験的に知られているデータである。パケットフォーマットは、データレート、コード体系または符号化率、変調スキーム、パケット長および／または他のパラメータを示すかもしれない。パケットフォーマットは、変調およびコード体系、レート、などと呼ばれるかもしれない。ＴＸデータ・プロセッサ１２０は、データシンボルをＭ個のストリームへ多重分離するかもしれない。ここで、一般に、１≦Ｍ≦Ｔである。Ｍ個のデータシンボル・ストリームは、ＭＩＭＯチャネル経由で同時に送信されるかもしれない、また、データ・ストリーム、空間的ストリーム、トラヒック・ストリーム、などと呼ばれるかもしれない。
【００１４】
ＴＸ  ＭＩＭＯプロセッサ１３０は、直接ＭＩＭＯマッピング、プリコーディング、などに基づいて、データおよびパイロットシンボルに対して送信機の空間的処理を行なうかもしれない。データシンボルは、直接のＭＩＭＯマッピングについては１本のアンテナから、またはプリコーディングについては複数のアンテナから、送信されるかもしれない。プロセッサ１３０は、出力シンボルのＴ個のストリームを、Ｔ個の変調器（ＭＯＤ）１３２ａないし１３２ｔに与えるかもしれない。変調器１３２は、それぞれ、出力チップを得るために出力シンボル上で変調（例、ＯＦＤＭ、ＳＣ−ＦＤＭ、などのために）を行なうかもしれない。各変調器１３２は、さらに、その出力チップを処理（例、アナログに変換、フィルタ、増幅、アップコンバート）し、そしてダウンリンク信号を生成する。変調器１３２ａから１３２ｔまでのＴ個のダウンリンク信号は、アンテナ１３４ａないし１３４ｔを介してそれぞれ送信される。
【００１５】
端末１５０において、Ｒ個のアンテナ１５２ａないし１５２ｒは、Ｔ個のダウンリンク信号を受信し、そして各アンテナ１５２は、受信された信号をそれぞれの復調器（ＤＥＭＯＤ）１５４に与える。各復調器１５４は、その受信された信号を処理（例、フィルタ、増幅、ダウンコンバート、およびディジタル化）してサンプルを得る、そして、さらに、受信シンボルを得るために、そのサンプルに対して復調（例、ＯＦＤＭ、ＳＣ−ＦＤＭ、などについて）を行なうかもしれない。復調器１５４は、それぞれ受信（ＲＸ）ＭＩＭＯプロセッサ１６０に受信されたデータシンボルを与え、そして、受信されたパイロットシンボルをチャネルプロセッサー１９４に与えるかもしれない。チャネルプロセッサー１９４は、受信されたパイロットシンボルに基づいて基地局１１０から端末１５０に対するＭＩＭＯチャネルの応答を評価し、ＲＸ  ＭＩＭＯプロセッサ１６０にチャネル推定値を与えるかもしれない。ＲＸ  ＭＩＭＯプロセッサ１６０は、チャネル推定値により受信データシンボルに対してＭＩＭＯ検波を行ない、データシンボル推定値を供給するかもしれない。ＲＸデータ・プロセッサ１７０は、データシンボル推定値を処理（例えば、デインタリーブおよびデコード）し、データシンク１７２に復号データを与えるかもしれない。
【００１６】
端末１５０は、チャネルコンディションを評価し、基地局１１０へチャネル状態情報を送信するかもしれない。チャネル状態情報は、ＴＸシグナリングプロセッサ１８０によって処理（例えば、符号化、インターリーブ、およびシンボルマップ）され、ＴＸ  ＭＩＭＯプロセッサ１８２によって空間的に処理され、さらに、Ｒ個のアップリンク信号を生成するために変調器１５４ａないし１５４ｒによって処理されるかもしれない。それらはアンテナ１５２ａないし１５２ｒを介して送信される。
【００１７】
基地局１１０において、Ｒ個のアップリンク信号は、アンテナ１３４ａないし１３４ｔによって受信され、復調器１３２ａないし１３２ｔによって処理され、ＲＸ  ＭＩＭＯプロセッサ１３６によって空間的に処理され、端末１５０によって送信されたチャネル状態情報を再生するためにＲＸ信号プロセッサ１３８によって、さらに処理（例、デインターリーブ、デコード）される。コントローラ／プロセッサ１４０は、端末から受信されたチャネル状態情報に基づいて、端末１５０へのデータ伝送を制御するかもしれない。
【００１８】
コントローラ／プロセッサ１４０および１９０は、基地局１１０および端末１５０における動作をそれぞれ制御する。メモリ１４２および１９２は、基地局１１０および端末１５０のためのデータとプログラムコードをそれぞれ格納する。スケジューラ１４４は、全ての端末から受信されたチャネル状態情報に基づいて、ダウンリンク上のデータ伝送のために端末１５０および／または他の端末を選択するかもしれない。
【００１９】
Ｓ個の空間的チャネル（spatial channel）が、基地局１１０から端末１５０へのダウンリンク送信について利用可能かもしれない。ここで、Ｓ≦ｍｉｎ｛Ｔ，Ｒ｝。Ｓ個の空間的チャネルは、種々の方式において形成されるかもしれない。直接ＭＩＭＯマッピングについて、Ｓ個のデータ・ストリームは、送信アンテナごとに１つのデータ・ストリームで、Ｓ個の送信アンテナから送信されるかもしれない。そのとき、Ｓ個の空間的チャネルは、データ伝送ために使用されるＳ個の送信アンテナに対応するかもしれない。プリコーディングについて、データ・ストリームがそれぞれすべてのＴ個の送信アンテナから送信されるように、Ｓ個のデータ・ストリームにプリコーディング・マトリックスを掛けるかもしれない。そのとき、Ｓ個の空間的チャネルは、プリコーディング・マトリックスで形成され、Ｓ個のデータ・ストリームにより観測される、Ｓ個の「仮想の（virtual）」アンテナに対応するかもしれない。一般に、Ｍ個のデータ・ストリームは、Ｍ個の空間的チャネル上で、空間的チャネルごとに１つのデータ・ストリームで送信されるかもしれない。ここで、１≦Ｍ≦Ｓ。Ｍ個の空間的チャネルは、全体的な処理能力のような１つ以上の基準に基づいて、Ｓ個の利用可能な空間的チャネルの中から選択されるかもしれない。
【００２０】
平易さのために、以下の説明は、各データ・ストリームが、１つの空間的チャネル上で送信されると想定する。それは、直接ＭＩＭＯマッピングまたはプリコーディングが使用されるかどうかに依存して、実際のアンテナまたは仮想アンテナに対応するかもしれない。用語「データ・ストリーム」、「空間的チャネル」および「アンテナ」は、区別なく使用され得る。Ｍ個のパケットまたはコードワードは、Ｍ個のデータ・ストリーム上で同時に送信されるかもしれない。
【００２１】
端末１５０は、線形の最小の平均二乗誤差（minimum mean square error）（ＭＭＳＥ）、ゼロ・フォーシング（ＺＦ）および逐次的な干渉除去（ＳＩＣ）、などのような種々のＭＩＭＯ検波技法を使用して、Ｍ個のデータ・ストリームを再生するかもしれない。それら全ては、当該技術分野において知られている。ＳＩＣは、一度に１つのデータ・ストリームを再生すること、各再生されたデータ・ストリームにより干渉を評価すること、そして、次のデータ・ストリームを再生する前に干渉をキャンセルすることを必要とする。ＳＩＣは、後で再生されるデータ・ストリームの受信されたＳＮＲを改善することができる。
【００２２】
システム１００は、パフォーマンスを向上させるためにサブバンド・スケジューリングをサポートするかもしれない。システムの帯域幅は、複数（Ｎ個）のサブバンドへ分割されるかもしれない。各サブバンドは、合計Ｋ個のサブキャリア中でＱ個の連続するサブキャリアをカバーするかもしれない。ここで、Ｑ＝Ｋ／Ｎ、あるいは他のいくつかの値。端末１５０は、マルチパスのチャネルにおける周波数選別フェーディングにより、異なったサブバンドについて異なったＳＮＲを達成するかもしれない。サブバンド・スケジューリングにより、端末１５０は、貧弱なＳＮＲについてのサブバンドの代わりに良いＳＮＲについてのサブバンドにおけるサブキャリアを割り当てられるかもしれない。データは、良いＳＮＲのサブバンドにおいて、割り当てられたキャリア上でより高いレートで送信されるかもしれない。
【００２３】
端末１５０は、基地局１１０によりＭＩＭＯ伝送およびサブバンド・スケジューリングをサポートするためにチャネル状態情報を送信するかもしれない。チャネル状態情報は、次のものを含み得る。
【００２４】
・ＭＩＭＯ伝送のために使用される空間的状態情報、および
・サブバンド・スケジューリング、レート選択、などのために使用されるＣＱＩ情報。
【００２５】
空間的状態情報は種々のタイプの情報を含むかもしれない。１つの設計において、与えられたサブバンドについての空間的状態情報は、そのサブバンド上でデータ伝送のために使用するＭ個１組の送信アンテナを示すかもしれない。端末１５０は、ＭＩＭＯチャネル応答を評価し、ＭＩＭＯチャネル推定値に基づいて送信アンテナの種々の可能なセットを評価し、最良のパフォーマンス（例、最高の全体的な処理能力）のある送信アンテナのセットを決定するかもしれない。そのとき、空間的状態情報は、送信アンテナのこのセットを示すかもしれない。
【００２６】
別の設計において、与えられたサブバンドについての空間的状態情報は、そのサブバンド上での伝送に使用するためのＭ個１組の仮想アンテナ（つまり、等価的に、Ｍ個１組のプリコーディング・ベクトル）を示すかもしれない。端末１５０は、種々の可能なプリコーディング・マトリクス、および／またはプリコーディング・マトリクスのカラムの種々の組合せでデータ性能を評価するかもしれない。そのとき、空間的状態情報は、最良のパフォーマンスをもつＭ個１組のプリコーディング・ベクトル（例、このプリコーディング・マトリックスのＭ個の特定コラムとともに特定のプリコーディング・マトリックスも）を示すかもしれない。
【００２７】
一般に、空間的状態情報は、送信するデータ・ストリームの数（それはＭＩＭＯチャネルのランクと関係があるかもしれない）、または伝送のために使用する１組のアンテナ、または伝送のために使用する１組のプリコーディング・ベクトル、または他の情報、またはそれらの任意の組合せ、を示すかもしれない。空間的状態情報は、１つ以上のサブバンドについて供給されるかもしれない。
【００２８】
ＣＱＩ情報は、異なる空間的チャネルおよび／または異なるサブバンドについてのＳＮＲまたは等価な情報を伝えるかもしれない。異なるＳＮＲは、無線チャネルの周波数選択性により異なるサブバンドについて達成されるかもしれない。端末１５０がデータ受信ための逐次的な干渉除去を行なう場合、基地局１１０がＭＩＭＯマッピングをデータ伝送のために直接に使用する場合など、異なるＳＮＲは、異なる空間的チャネルについても達成されるかもしれない。したがって、異なるＳＮＲは、異なるサブバンド上の異なる空間的チャネルについて達成されるかもしれない。与えられたサブバンド上の与えられた空間的チャネルのＳＮＲは、そのサブバンド上のその空間的チャネル経由で送信されるデータについて使用するために適切なパケットフォーマット（それは符号化率、変調スキーム、データレートなどを示すかもしれない）を選択するために使用されてもよい。一般に、ＣＱＩ情報は、１つ以上の空間的チャネルおよび／または１つ以上のサブバンドについての受信された信号品質を示すＳＮＲおよび／または他の情報を伝えるかもしれない。
【００２９】
図２は、Ｎ個のサブバンド上のＭ個の空間的チャネルのＣＱＩ値を示す。ＣＱＩ値Ｘｎｍは、各サブバンドｎ上の各空間的チャネルｍについて得られるかもしれない。そのとき、ＣＱＩ値の数は、空間的チャネルの数とサブバンドの数との積（つまりＭ・Ｎ個の  ＣＱＩ値）に比例するかもしれない。これらのＭ・Ｎ個のＣＱＩ値は、データ伝送について適切なサブバンド選択するためのサブバンド・スケジューリングに使用することができる。これらのＣＱＩ値は、また各サブバンド上のそれぞれの空間的チャネルの適切なパケットフォーマットを決定するためにも使用されてもよい。しかしながら、すべてのＭ・Ｎ個のＣＱＩ値を基地局１１０へ送信することは、かなりの量のアップリンク・リソースを浪費するかもしれない。
【００３０】
１つの態様において、差分符号化（differential encoding）は、送信するべきチャネル状態情報の量を減らすために使用され得る。差分符号化は、実際の値の代わりに値の間の差分を伝えることを指す。値における変化が実際の値に比べて小さい場合には、差分は、実際の値より少数のビットを使用して伝えることができる。差分符号化は、シグナリング・オーバヘッドの縮小する一方、よい性能を提供するかもしれない。差分符号化は、空間を横切って、周波数を横切って、空間と周波数を横切って、空間、周波数および時間を横切って、または次元の他のいくつかの組合せを横切って、ＣＱＩ値に対して行なわれるかもしれない。
【００３１】
表１は、ＣＱＩ情報について送信されるかもしれない異なる情報をリストする。完全なＣＱＩ値は、ＣＱＩ値、ピボットＣＱＩ値、実際のＣＱＩ値、などとも呼ばれるかもしれない。差分ＣＱＩ値は、２つの完全なＣＱＩ値の間の差分（例、ＹまたはΔＸ）、または、２つの差分ＣＱＩ値の間の差分（例、ΔＹ、ΔΔＸまたはΔΔＹ）を伝えるかもしれない。一般に、差分ＣＱＩ情報は、完全なＣＱＩ値、および／または差分ＣＱＩ値における差分（例、表１における、Ｙ，ΔＸ，ΔＹ，ΔΔＸ，および／またはΔΔＹ）を示す任意の情報も含むかもしれない。
【表１】
2009531993.tif 000003
【００３２】
空間を横切る差分符号化について、１つの空間的チャネルは指定の空間的チャネルかもしれない。そして、残りの空間的チャネルは、非指定の空間的チャネルと呼ばれるかもしれない。完全なＣＱＩ値は、指定の空間的チャネルについて与えられるかもしれない。そして、差分ＣＱＩ値は、それぞれの非指定の空間的チャネルまたはすべての非指定の空間的チャネルについて与えられるかもしれない。周波数を横切った差分符号化については、１つのサブバンドは指定のサブバンドであるかもしれない。そして、残りのサブバンドは、非指定のサブバンドであるかもしれない。完全なＣＱＩ値は、指定のサブバンドに与えられるかもしれない。そして、差分ＣＱＩ値は、非指定のサブバンドそれぞれについて与えられるかもしれない。時間を横切った差分符号化について、１つの時間区間は、１つの指定の時間区間かもしれない。そして、１つ以上の他の時間区間は、非指定の時間区間かもしれない。完全なＣＱＩ値は、指定の時間区間に与えられるかもしれない。そして、差分ＣＱＩ値は、各非指定の時間区間に与えられるかもしれない。指定のサブバンドは、主要サブバンド、優先サブバンド、参照サブバンド、などとも呼ばれるかもしれない。指定の空間的チャネルおよび指定の時間区間は、他の用語で呼ばれるかもしれない。
【００３３】
図３Ａは、１つのサブバンド上の２つの空間的チャネルについて空間を横切る差分ＣＱＩ符号化の設計を示す。この例において、ＸａのＣＱＩ値は指定の空間的チャネルａについて得られる。そして、ＸｂのＣＱＩ値は非指定の空間的チャネルｂについて得られる。端末１５０（あるいは送信機）は、以下のＣＱＩ情報を導出し送信するかもしれない。
【００３４】
Ｘ  ＝  Ｘａ  ，  および                                  式（１）  
Ｙ  ＝  Ｘｂ  −  Ｘａ  ．
基地局１１０（あるいは受信機）は、端末１５０からＸとＹを受信するかもしれない。そして、以下のように、オリジナルのＣＱＩ値を導き出すことができる。
【００３５】
Ｘａ  ＝  Ｘ  ，  および                                  式（２）  
Ｘｂ  ＝  Ｘ  ＋  Ｙ  ．
基地局１１０によって導出されたＣＱＩ値は、ＸとＹの量子化のために端末１５０によって得られたＣＱＩ値と正確に一致しないかもしれない。平易さのために、以下の説明の多くは量子化誤差を想定しない。
【００３６】
図３Ｂは、２つのサブバンド上の１つの空間的チャネルについての周波数を横切る差分ＣＱＩ符号化の設計を示す。この例において、Ｘ１のＣＱＩ値は、指定のサブバンド１上の空間的チャネルについて得られる。そして、Ｘ２のＣＱＩ値は非指定のサブバンド２上の同じ空間的チャネルについて得られる。端末１５０は、以下のＣＱＩ情報を導出し送信するかもしれない。
【００３７】
Ｘ  ＝  Ｘ１  ，  および                              式（３）  
ΔＸ  ＝  Ｘ２  −  Ｘ１  ．
基地局１１０は、端末１５０からＸおよびΔＸを受信するかもしれない、そして、以下のようにオリジナルのＣＱＩ値を導出するかもしれない。
【００３８】
Ｘ１  ＝  Ｘ  ，  および                              式（４）  
Ｘ２  ＝  Ｘ  ＋  ΔＸ  ．
単一データ・ストリームが単一の空間的チャネル上で送信される場合、周波数を横切る差分ＣＱＩ符号化が使用され得る。この場合、差分ＣＱＩ値は、別の空間的チャネルについて必要とされないかもしれない。
【００３９】
図３Ｃは、２つのサブバンド上の２つの空間的チャネルについて、空間と周波数を横切る差分ＣＱＩ符号化の設計を示す。この例において、Ｘ１ａのＣＱＩ値は指定の空間的チャネルａについて得られ、そして、Ｘ１ｂのＣＱＩ値は指定のサブバンド１上の非指定の空間的チャネルｂについて得られる。Ｘ２ａとＸ２ｂのＣＱＩ値は、非指定のサブバンド２上で空間的チャネルａおよびｂについてそれぞれ得られる。端末１５０は、以下のＣＱＩ情報を導出することができる。
【数１】
2009531993.tif 000004
【００４０】
ここでＹ１とＹ２は、それぞれ、サブバンド１および２上の空間的チャネルｂの差分ＣＱＩ値である。端末１５０は、サブバンド１についてはＣＱＩ情報として、ＸおよびＹを送信するかもしれない、そしてサブバンド２についてはＣＱＩ情報として、ΔＸおよびΔＹを送信するかもしれない。
【００４１】
基地局１１０は、端末１５０からＸ、Ｙ、ΔＸおよびΔＹを受信するかもしれない、そして以下のように、オリジナルのＣＱＩ値を導出することができる。
【００４２】
Ｘ１ａ  ＝  Ｘ  ，                                      式（６）  
Ｘ１ｂ  ＝  Ｘ  ＋  Ｙ    ，
Ｘ２ａ  ＝  Ｘ  ＋  ΔＸ  ，  および
Ｘ２ｂ  ＝  Ｘ  ＋  ΔＸ  ＋  Ｙ  ＋  ΔＹ  ．
式（５）において示される設計において、差分符号化は、最初に空間を横切って、それから周波数を横切って行なわれる。差分符号化は、また、最初に周波数を横切って、それから空間を横切って行なわれるかもしれない。
【００４３】
図３Ｄは、２つの時間区間における２つのサブバンド上の２つの空間的チャネルについて、空間、周波数、および時間を横切る差分ＣＱＩ符号化の設計を示す。時間区間１において、Ｘ１ａとＸ１ｂのＣＱＩ値は、指定のサブバンド１上の空間的チャネルａおよびｂについて得られ、そして、Ｘ２ａとＸ２ｂのＣＱＩ値は、非指定のサブバンド２上の空間的チャネルａおよびｂについて得られる。時間区間２において、Ｘ’1aとＸ’1bのＣＱＩ値は、サブバンド１上の空間的チャネルａおよびｂについて得られ、Ｘ’2aとＸ’2bのＣＱＩ値は、サブバンド２上の空間的チャネルａおよびｂについて得られる。端末１５０は、式のセット（５）において示されように時間区間１についてＣＱＩ情報を導出することができる。
【００４４】
端末１５０は、時間区間２についてのＣＱＩ情報を以下のように導出することができる。
【数２】
2009531993.tif 000005
【００４５】
ここで、
ΔＸ’  は、２つの時間区間におけるサブバンド１上で空間的チャネルａのＣＱＩ値における差分である。
【００４６】
ΔＹ’  は、２つの時間区間におけるサブバンド１上の空間的チャネルｂについてのＹ値の差分である。
【００４７】
ΔΔＸは、２つの時間区間における空間的チャネルａについてのΔＸ値の差分である。そして、
ΔΔＹは、２つの時間区間における空間的チャネルｂについてのΔＹ値の差分である。
【００４８】
時間区間１について、端末１５０は、サブバンド１のＣＱＩ情報としてＸおよびＹを送信するかもしれない、そして、サブバンド２のＣＱＩ情報として、ΔＸおよびΔＹを送信するかもしれない。時間区間２について、ターミナル１５０は、サブバンド１のＣＱＩ情報としてΔＸ’およびΔＹ’を送信するかもしれない、そして、またサブバンド２のＣＱＩ情報としてΔΔＸおよびΔΔＹを送信するかもしれない。
【００４９】
基地局１１０は、時間区間１において端末１５０からＸ、Ｙ、ΔＸおよびΔＹを受信するかもしれない、そして、時間区間２においてΔＸ’，ΔＹ’，ΔΔＸおよびΔΔＹを受信するかもしれない。基地局１１０は、式のセット（６）において示されるように時間区間１のオリジナルのＣＱＩ値を導出するかもしれない。基地局１１０は、時間区間２のオリジナルのＣＱＩ値を以下のように導出するかもしれない：
【数３】
2009531993.tif 000006
【００５０】
式（７）で示される設計において、差分符号化は、最初に空間を横切って行われ、次に周波数を横切って、そして、次に時間を横切って行われる。差分符号化は、また、最初に周波数を横切って、次に空間を横切って、そして、次に時間を横切って行なわれるかもしれない。
【００５１】
平易さのために、図３Ａないし３Ｄは、２つの空間的チャネル、２つのサブバンド、および２つの時間区間についての差分符号化を示す。差分符号化は、任意の数の空間的チャネル、任意の数のサブバンド、および任意の数の時間区間へ拡張されるかもしれない。
【００５２】
２つを超える空間的チャネルのために空間を横切る差分符号化は、種々の方式において行なわれるかもしれない。１つの設計において、空間的チャネルのＣＱＩ値は、共通のＹ値によって直線的に関連づけられると想定される。したがって、指定の空間的チャネルａが、ＣＱＩ値Ｘを持っている場合には、空間的チャネルｂはＣＱＩ値Ｘ＋Ｙを持っており、空間的チャネルｃはＣＱＩ値Ｘ＋２Ｙを持っており、空間的チャネルｄはＣＱＩ値Ｘ＋３Ｙ、などを持っている。単一のＹ値は、すべての非指定の空間的チャネルへ送信されるかもしれない。別の設計において、個別のＹ値は、指定の空間的チャネルに関連のある各非指定の空間的チャネルまたは隣接した空間的チャネルについて計算されるかもしれない。例えば、空間的チャネルａ、ｂ、ｃおよびｄが、それぞれ、Ｘａ、Ｘｂ、ＸｃおよびＸｄのＣＱＩ値を持っている場合、空間的チャネルｂ、ｃおよびｄのＹ値は、それぞれ、Ｙｂ＝Ｘｂ−Ｘａ、Ｙｃ＝Ｘｃ−ＸｂおよびＹｄ＝Ｘｄ−Ｘｃとして計算されるかもしれない。Ｙｂ、ＹｃおよびＹｄ値は、それぞれ、空間的チャネルｂ、ｃおよびｄに送信されるかもしれない。さらに別の設計において、個別のＹ値は、それぞれの非指定の空間的チャネルについて計算されるかもしれない。それから、単一のインデックスは、Ｙ値を伝えるためにすべての非指定の空間的チャネルに向けて送信されるかもしれない。Ｙ値の種々の組合せは、定義され、ルックアップ・テーブルに格納されるかもしれない。単一のインデックスは、計算されたＹ値のセットと最も厳密に一致するルックアップ・テーブルにおけるＹ値の特定の組合せを示すかもしれない。複数の非指定の空間的チャネルのＹ値は、また他の方式において伝えられるかもしれない。
【００５３】
平易さのために、以下の説明のほとんどは、１つの非指定の空間的チャネルを仮定する。
【００５４】
一般に、任意のビット数は、チャネル状態情報に含まれた情報の各部分について使用され得る。次の表記が、以下の説明において使用される
ＮＸ  −  完全なＣＱＩ値Ｘのビット数
ＮＹ  −  差分ＣＱＩ値Ｙのビット数、
ＮＷ  −  差分ＣＱＩ値ΔＸおよびΔＹの両方のビット数、
ＮＺ  −  空間的状態情報のビット数、および、
ＮＳ  −  指定のサブバンドを示すビット数、そしてそれは  ＮＳ＝［ｌｏｇ２Ｎ］である。
【００５５】
与えられた部分の情報について使用するビット数は、シグナリング・オーバヘッドに対する詳細の量つまり情報の分解能間のトレードオフに基づいて選択されるかもしれない。１つの設計例において、Ｍ＝２を持つ２−レイヤＭＩＭＯについてＮＸ＝５，  ＮＹ＝３、ＮＷ＝４、ＮＺ＝２、およびＭ＝４を持つ４−レイヤＭＩＭＯについてＮＺ＝４  。他の値もＮＸ、ＮＹ、ＮＷおよびＮＺについて使用されてもよい。
【００５６】
種々の報告スキームは、有効なやり方においてチャネル状態情報を送信するために使用され得る。いくつかの報告スキームが以下に説明される。
【００５７】
図４Ａは、Ｎ個のサブバンドの各々について独立した符号化、および空間を横切る差分ＣＱＩ符号化を使用する第１の報告スキームを示す。このスキームにおいて、完全なＣＱＩ値Ｘｎ、差分ＣＱＩ値Ｙｎ、および空間的状態情報は、Ｎサブバンドの各々について送信されるかもしれない。Ｎ個すべてのサブバンドについてのＣＱＩ報告は、Ｎ・（ＮＺ＋ＮＸ＋ＮＹ）ビットを含んでいるかもしれない。各サブバンドｎの完全なＣＱＩ値Ｘｎおよび差分ＣＱＩ値Ｙｎは、式のセット（１）において示されるように決定されるかもしれない。
【００５８】
第２の報告スキームは、Ｎサブバンドのサブセットについての独立した符号化および空間を横切る差分ＣＱＩ符号化を使用する。ここで、このサブセットは、Ｌサブバンドを含んでいるかもしれないし、ＮＬビット・サブバンド・セット・インデックスによって識別されるかもしれない。ここでＬ≧１およびＮＬ＞１である。例えば、８つのサブバンドがあり、連続３つまでのサブバンドが報告されるかもしれない場合、そのとき、ＮＬは５に等しいかもしれない。このスキームにおいて、完全なＣＱＩ値Ｘｎ、差分ＣＱＩ値Ｙｎおよび空間的状態情報は、Ｌサブバンドの各々について送信されるかもしれない。ＬサブバンドのＣＱＩ報告は、Ｎ・（ＮＺ＋ＮＸ＋ＮＹ）＋ＮＬビットを含んでいるかもしれない。
【００５９】
ＣＱＩ情報は、また異なる時間区間におけるサブバンドの異なるサブセットについても送信されるかもしれない。例えば、Ｎサブバンドは、循環されるかもしれない。そして、１つのサブバンドについてのＣＱＩ情報は、各時間区間においてＮＺ＋ＮＸ＋ＮＹビットによって送信されるかもしれない。１つを超えるサブバンドについてのＣＱＩ情報も、各時間区間において送信されるかもしれない。
【００６０】
第３の報告スキームは、空間を横切る差分ＣＱＩ符号化、Ｎサブバンドについて独立した符号化、および共通の空間的状態情報をすべてのＮサブバンドについて使用する。各サブバンドについて、そのサブバンドについて最良のパフォーマンス（例、最も高い全体的な処理能力）を与える、１組の空間的チャネル（例、１組のアンテナまたは１組のプリコーディング・ベクトル）は、決定されるかもしれない。ＮサブバンドについてＮ空間的チャンネルのセットの中から最良の空間的チャンネルのセットは選択され、すべてのＮ空間的チャネルについて共通の空間的チャンネルセットとして使用されるかもしれない。あるいは、すべてのＮサブバンドについて平均された最良のパフォーマンスを提供する１組の空間的チャンネルは、共通の空間的チャンネルセットとして選択されるかもしれない。完全ＣＱＩ値および差分ＣＱＩ値は、共通の空間的チャンネルセットに基づいて導出されるかもしれない。すべてのＮサブバンドについてのＣＱＩ報告は、ＮＺ＋Ｎ・（ＮＸ＋ＮＹ）ビットを含んでいるかもしれない。共通の空間的状態情報は、さらに共通の空間的チャンネルセットの代わりに、またはそのチャンネルセットに加えて他の情報を含むかもしれない。別の設計において、空間的状態情報は、特定のユニット（例、各サブバンド）について報告されるかもしれない。そして、ＣＱＩ情報は、より大きなユニット（例、複数の空間的状態報告単位）について平均され、報告されるかもしれない。したがって、ＣＱＩ報告単位は、空間的状態報告単位（例、周波数における）より大きいかもしれない。
【００６１】
図４Ｂは、第４の報告スキームを示す。それは空間と周波数を横切る差分ＣＱＩ符号化を使用する。このスキームにおいて、完全なＣＱＩ値Ｘｌ、差分ＣＱＩ値Ｙｌ、および空間的状態情報は、指定のサブバンドｌ（この文字は英小文字のエルを表す）について提供されるかもしれないし、ＮＺ＋（ＮＸ＋ＮＹ）ビットで送信されるかもしれない。指定のサブバンドは、所定のサブバンド（例、サブバンド１）、最良のパフォーマンスを伴うサブバンド、などかもしれない。指定のサブバンドが固定されない場合、ＮＳビットは、どのサブバンドが指定のサブバンドか示すために送信されるかもしれない。差分ＣＱＩ値ΔＸおよびΔＹは、共通の空間的状態情報（例、共通の空間的チャンネルセット）に基づいて、各非指定のサブバンドについて導出されるかもしれない、そして、そのサブバンドに送信されるかもしれない。すべてのＮサブバンドについてのＣＱＩ報告は、ＮＺ＋（ＮＸ＋ＮＹ）＋（Ｎ−１）・ＮＷ＋ＮＳ  ビットを含んでいるかもしれない。
【００６２】
１つの設計において、周波数を横切る差分ＣＱＩ符号化は、隣接したサブバンド間の差分をとることにより実現される。この設計において、非指定のサブバンドｎについての差分ＣＱＩ情報は、サブバンドｎとｎ−１の間の差分ＣＱＩ値ΔＸｎ＝Ｘｎ−Ｘｎ−１およびΔＹｎ＝Ｙｎ−Ｙｎ−１、あるいは、サブバンドｎとｎ＋１の間の差分ＣＱＩ値ΔＸｎ＝Ｘｎ−Ｘｎ＋１およびΔＹｎ＝Ｙｎ−Ｙｎ＋１を含んでいるかもしれない。
【００６３】
ＣＱＩ報告は、種々のフォーマットにおける異なる部分の情報を含んでいるかもしれない。Ｎ個のサブバンド・インデックスは、単調な仕方で配列されるかもしれない。その結果、図２に示されたようにシステムの帯域幅において、サブバンド１が、最低周波数範囲を占有し、およびサブバンドＮが最高周波数範囲を占有する。サブバンドｌが指定のサブバンドである場合には、第１のＮＳビットは指定のサブバンド・インデックスｌを伝えるかもしれない。次のＮＺのビットは、サブバンドｌの空間的状態情報を伝えるかもしれない。そして、次の（ＮＸ＋ＮＹ）ビットは、サブバンドｌについての、完全なＣＱＩ値Ｘｌおよび差分ＣＱＩ値Ｙｌを伝えるかもしれない。次のＮＷビットは、空間と周波数を横切るサブバンドｌとｌ＋１の間の差分ＣＱＩ情報（例えば、ΔＸｌ＋１およびΔＹｌ＋１）を伝えるかもしれない。次のＮＷビットは、サブバンドｌ＋１とｌ＋２の間の差分ＣＱＩ情報などを伝えるかもしれない。そして、ＮＷビットは、サブバンドＮ−１とＮの間の差分ＣＱＩ情報を伝えるかもしれない。次のＮＷビットは、サブバンドｌとｌ−１の間の差分ＣＱＩ情報を伝えるかもしれない。次のＮＷビットは、サブバンドｌ−１とｌ−２の間の差分ＣＱＩ情報などを伝えるかもしれない。そして、最後のＮＷビットは、サブバンド２と１の間の差分ＣＱＩ情報を伝えるかもしれない。
【００６４】
表２の最初の３カラムは、隣接したサブバンド間の差分符号化について差分ＣＱＩ情報の設計を示す。この設計において、各非指定のサブバンドｎの差分ＣＱＩ情報は、ＮＷ＝４  ビットを含んでおり、そして（ｉ）指定の空間的チャネルの隣接サブバンドとサブバンドｎの間の差分ＣＱＩ値ΔＸｎ、および（ｉｉ）非指定の空間的チャネルの差分ＣＱＩ値ΔＹｎを、共同で供給する。各サブバンド上のそれぞれの空間的チャネルのＣＱＩ値は、式のセット（５）および（６）において示されるように決定されるかもしれない。
【表２】
2009531993.tif 000007
【００６５】
別の設計において、周波数を横切る差分ＣＱＩ符号化は、指定のサブバンドに関して差分をとることにより実現される。この設計において、非指定のサブバンドｎの差分ＣＱＩ情報は、指定のサブバンドｌと非指定のサブバンドｎの間の差分ＣＱＩ値ΔＸｎ＝Ｘｎ−ＸｌおよびΔＹｎ＝Ｙｎ−Ｙｌを含んでいるかもしれない。
【００６６】
サブバンドｌが指定のサブバンドである場合、最初のＮＳビットは指定のサブバンド・インデックスｌを伝えるかもしれない。次のＮＺのビットは、サブバンドｌの空間的状態情報を伝えるかもしれない。そして、次の（ＮＸ＋ＮＹ）ビットは、サブバンドｌの完全なＣＱＩ値Ｘｌおよび差分ＣＱＩ値Ｙｌを伝えるかもしれない。次のＮＷビットは、空間と周波数を横切るサブバンドｌおよびｌ＋１の間の差分ＣＱＩ情報（例、ΔＸｌ＋１およびΔＹｌ＋１）を伝えるかもしれない。次のＮＷビットは、サブバンドｌおよびｌ＋２の間の差分ＣＱＩ情報などを伝えるかもしれない。そして、ＮＷビットは、サブバンドｌとＮの間の差分ＣＱＩ情報を伝えるかもしれない。次のＮＷビットは、サブバンドｌとｌ−１の間の差分ＣＱＩ情報を伝えるかもしれない。次のＮＷビットは、サブバンドｌとｌ−２の間の差分ＣＱＩ情報などを伝えるかもしれない。そして、最後のＮＷビットは、サブバンドｌと１の間の差分ＣＱＩ情報を伝えるかもしれない。
【００６７】
表２の最後の３カラムは、指定のサブバンドに関する差分符号化のための差分ＣＱＩ情報の設計を示す。この設計において、各非指定のサブバンドｎの差分ＣＱＩ情報は、ＮＷ＝４  ビットを含んでおり、（ｉ）指定の空間的チャネルについてサブバンドｌとｎの間の差分ＣＱＩ値ΔＸｎと  、（ｉｉ）非指定の空間的チャネルの差分ＣＱＩ値ΔＹｎを、共同で供給する。指定のサブバンドが最良のパフォーマンスを持っており、非指定のサブバンドについての参照として使用される場合、各非指定のサブバンドの差分ＣＱＩ値ΔＸｎは、非正値であるべきである。各サブバンド上のそれぞれの空間的チャネルのＣＱＩ値は、式のセット（５）および（６）において示されるように決定されるかもしれない。
【００６８】
表３は、ＮＷ＝３ビットに対するサブバンドに関する差分符号化について差分ＣＱＩ情報の別の設計を示す。
【表３】
2009531993.tif 000008
【００６９】
表１〜３は、差分ＣＱＩ値ΔＸｎとΔＹｎについての共同の符号化のいくつかの例を示す。他の共同の符号化の設計も使用されてもよい。
【００７０】
ＣＱＩ報告は、例えば図４Ｂにおいて示されるように、すべてのＮサブバンドについてのＣＱＩ情報を伝えるかもしれない。ＣＱＩ報告は、さらにＮサブバンドのサブセットについてのＣＱＩ情報を伝えるかもしれない。１つの設計において、偶数の時間区間のＣＱＩ報告は、完全なＣＱＩ値Ｘｌ、差分ＣＱＩ値Ｙｌおよび指定のサブバンドｌの空間的状態情報を含んでいるかもしれないし、そして、ＮＳ＋ＮＺ＋（ＮＸ＋ＮＹ）ビットで送信されるかもしれない。奇数の時間区間のＣＱＩ報告は、各非指定のサブバンドの差分ＣＱＩ値ΔＸおよびΔＹを含んでいるかもしれないし、そして（Ｎ−１）・ＮＷビットで送信されるかもしれない。多くのサブバンドがある場合、非指定のサブバンドのＣＱＩ情報は、複数の時間区間において送信されるかもしれない。指定サブバンドおよび非指定のサブバンドについてのＣＱＩ情報も他の方式において送信されるかもしれない。
【００７１】
図４Ｃは、第５の報告スキームを示す。それは空間、周波数および時間を横切る差分ＣＱＩ符号化を使用する。差分符号化は、無線チャネルがゆっくり変わる場合、時間を横切って（例、連続する報告間隔を横切って）行なわれるかもしれない。このスキームにおいて、空間−周波数ＣＱＩ情報を含むＣＱＩ報告は、Ｐ時間区間ごとに送信されるかもしれない。ここで、Ｐ＞１。空間−周波数ＣＱＩ情報は、上に説明されたスキームのうちの任意のものに基づいて１つ以上のサブバンド上の１つ以上の空間的チャネルについて生成されたＣＱＩ情報を含むかもしれない。例えば、空間−周波数ＣＱＩ情報は、上に説明された第４のスキーム基づいて、Ｎサブバンド上の２つの空間的チャネルについて生成されたＣＱＩ情報についてＮＺ＋（ＮＸ＋ＮＹ）＋（Ｎ−１）・ＮＷ＋ＮＳビットを含むかもしれない。空間−周波数ＣＱＩ情報は、上に議論されたように、１つの時間区間、あるいは、おそらく複数の時間区間において送信されるかもしれない。時間的な差分ＣＱＩ情報を含んでいる１つ以上のＣＱＩ報告は、空間−周波数ＣＱＩ情報についてのものの間の時間区間において送信されるかもしれない。各ＣＱＩ報告中の時間的な差分ＣＱＩ情報は、以前のＣＱＩ報告のＣＱＩ情報に関して生成されるかもしれない。時間的な差分ＣＱＩ情報は、指定のサブバンドについてΔＸおよびΔＹを含み、そして、報告されている各非指定のサブバンドについてΔΔＸおよびΔΔＹを含むかもしれない。ΔＸ，ΔＹ，ΔΔＸおよびΔΔＹが、図３Ｄについて上に説明されているように、導出されるかもしれない。指定のサブバンドにおける変更は、Ｐ時間区間毎になされるかもしれない。
【００７２】
上に説明された第１乃至第５の報告スキームは、複数の空間的チャネルが利用可能であると仮定する。一つの空間的チャネルが使用される場合、差分符号化は、周波数を横切って行なわれるかもしれない。そして、差分ＣＱＩ値Ｙが省略されるかもしれない。周波数を横切る（および空間を横切らない）差分だけが伝えられるので、ΔＸ値は、より少数のビットで送信されるかもしれない。差分符号化も周波数と時間を横切って行なわれるかもしれない。ΔＸとΔΔＸ値は、空間を横切った差分符号化が行なわれない場合、より少数のビットで送信されるかもしれない。
【００７３】
一般に、ＣＱＩ情報および空間的状態情報は同じレートまたは異なるレートで報告されるかもしれない。空間的状態情報は、１つのレートで報告されるかもしれない。そして、ＣＱＩ情報は、第２のレートで報告されるかもしれない。それは第１のレートより遅いかもしれないし、より速いかもしれない。
【００７４】
チャネル状態情報は、生成され、そして、構成に基づいて報告されるかもしれない。それは端末１５０について選択されるかもしれないし、シグナリングを介して半静的なやり方において変更されるかもしれない。１つの設計において、チャネル状態情報は、指定のサブバンドについて得られ、そして報告されるかもしれない。別の設計において、チャネル状態情報は、すべてのサブバンドを通じて（例、通信路容量機能に基づいて）平均されるかもしれない。そして、その平均チャネル状態情報が報告されるかもしれない。平均チャネル状態情報が報告される場合には、差分ＣＱＩ情報は、その平均ＣＱＩ情報に関して得られるかもしれない。さらに、指定のサブバンドを伝えるニーズはない。
【００７５】
空間的状態情報は、端末１５０の優先度に依存するかもしれない。１つの設計において、１組の空間的チャネル（あるいは１組のアンテナ）を選択するために使用される基準は、すべてのサブバンドの平均チャンネル特性に基づくかもしれない。別の設計において、その基準は、指定のサブバンドのチャンネル特性に基づくかもしれない。
【００７６】
１つの設計において、端末１５０は、選択された報告スキームに基づいてチャネル状態情報を生成するかもしれない、そして、各報告間隔において連続的な方式でチャネル状態情報を報告するかもしれない。例えば、端末１５０が、１つまたは２、３の報告間隔をカバーするサービス持続時間がある場合、この設計は使用されるかもしれない。
【００７７】
別の設計において、端末１５０は、サービス持続時間に異なる方式においてチャネル状態情報を生成する、および／または報告するかもしれない。この設計は、例えば、サービス持続時間が報告間隔よりはるかに長い場合、使用され得る。端末１５０は、サービス持続時間に複数のパケットを送信するかもしれないし、各パケット伝送について適切なパケットフォーマットおよび空間的チャネルの適切なセットを選択するかもしれない。パケット伝送は、１つまたは複数の報告間隔に亘るかもしれない。指定のサブバンドは、各パケット伝送について選択されるかもしれない、そして、パケット伝送からパケット伝送に変わるかもしれない。サブバンドの選択は、各パケット伝送について持続するかもしれない。この場合、指定のサブバンドのインデックスは、パケット伝送の間に送信されるＣＱＩ報告において省略されるかもしれない。
【００７８】
端末１５０は、所定の瞬間で、スケジュールモードおよび非スケジュールモードのような、いくつかの動作モードのうちの１つにおいて動作するかもしれない。スケジュールモードにおいて、端末１５０は、ダウンリンク上の送信についてスケジュールされるかもしれないし、端末と基地局の両方によって知られている持続的なサブバンド割当てがあるかもしれない。スケジュールモードにおいて、サブバンドの全部についてチャネル状態情報を不正確に報告することよりもむしろ、割り当てられたサブバンドについて平均のチャネル状態情報を正確に報告することが望ましいかもしれない。非スケジュールモードにおいて、端末１５０はダウンリンク上の送信についてスケジュールされないかもしれない、そして持続的なサブバンド割当てがないかもしれない。非スケジュールモードにおいて、できるだけ多くのサブバンドについてチャネル状態情報を報告することは望ましいかもしれない。端末１５０は、端末が送信を予定しているかどうかに依存して、スケジュールモードと非スケジュールモード間で移行するかもしれない。例えば、端末１５０は、そのサービス持続時間にスケジュールモードにおいて動作するかもしれないし、また、そのサービス持続時間外で非スケジュールモードにおいて動作するかもしれない。
【００７９】
別の態様において、異種混合（heterogeneous）の報告スキームが使用される。そして、端末１５０は、その動作モードに依存して種々のチャネル状態情報を送信するかもしれない。スケジュールモードにおいて、端末１５０は、割り当てられたサブバンドの全体的なチャンネル特性または平均チャンネル特性に基づいて、完全なＣＱＩ値Ｘおよび差分ＣＱＩ値Ｙを生成するかもしれない。端末１５０は、完全なＣＱＩ値、差分ＣＱＩ値、および空間的状態情報を、ＮＺ＋（ＮＸ＋ＮＹ）ビットで伝えるかもしれない。端末１５０は、適時のやり方においてチャネル状態情報をアップデートするために、より高いレートで、またはより頻繁にチャネル状態情報を報告するかもしれない。例えば、端末１５０は、各報告間隔においてＮＺ＋（ＮＸ＋ＮＹ）ビットを報告するかもしれない。
【００８０】
非スケジュールモードにおいて、端末１５０は、全部のサブバンドまたは多くサブバンドについてＣＱＩ情報を生成するかもしれない。例えば、端末１５０は、図４Ｂにおける第４の報告スキームに基づいてＣＱＩ情報を生成するかもしれない、そして、すべてのＮサブバンドについてＮＺ＋（ＮＸ＋ＮＹ）＋（Ｎ−１）・ＮＷ＋ＮＳビットを送信するかもしれない。端末１５０は、さらに図４Ｃにおける第５の報告スキーム、あるいは他のいくつかのスキームに基づいて、ＣＱＩ情報生成するかもしれない。端末１５０は、シグナリング・オーバヘッドを縮小するために、より低いレートで、または、より頻繁でなくチャネル状態情報を報告するかもしれない。
【００８１】
図５は異種混合の報告スキームを示す。端末１５０は、時間Ｔ１とＴ２の間、スケジュールモードにおいて動作するかもしれない。この時間期間中に、端末１５０は、選択されたサブバンドのみについてチャネル状態情報（例、平均のＣＱＩ）を決定するかもしれない、そして、チャネル状態情報をより頻繁に（例えば、Ｔrep1秒ごとに一度のレートで）報告するかもしれない。端末１５０は、時刻Ｔ２とＴ３の間、非スケジュールモードにおいて動作するかもしれない。この時間期間中に、端末１５０は、すべてのＮサブバンドについてチャネル状態情報（例、各サブバンドのＣＱＩ）を決定するかもしれない、そして、チャネル状態情報をより低い頻度（例えば、Ｔrep2秒ごとに一度のレート、ここで、Ｔrep2＞Ｔrep1）で報告するかもしれない。
【００８２】
図６は、空間と周波数を横切る差分符号化でチャネル状態情報を報告する処理６００の設計を示す。空間的状態情報は、複数のサブバンド上の複数の空間的チャネルについて決定されるかもしれない（ブロック６１２）。複数の空間的チャネルは、伝送に利用可能な複数のアンテナの中から選択された複数のアンテナに対応するかもしれない。それから、空間的状態情報は、選択されたアンテナを伝えるかもしれない。複数の空間的チャネルは、さらに伝送に利用可能な複数のプリコーディング・ベクトルの中から選択された、複数のプリコーディング・ベクトルに対応するかもしれない。それから、空間的状態情報は、選択されたプリコーディング・ベクトルを伝えるかもしれない。空間的状態情報は、各サブバンドの、またはサブバンドの各セット、またはすべてのサブバンドについての複数の空間的チャネルを伝えるかもしれない。
【００８３】
ＣＱＩ値は、複数のサブバンド上の複数の空間的チャネルについて得られるかもしれない（ブロック６１４）。ＣＱＩ値は、ＳＮＲ推定値または受信された信号品質の他のいくつかの測定値に対応するかもしれない。ＣＱＩ値は、差分ＣＱＩ情報を得るために、複数の空間的チャネルおよび複数のサブバンドを横切って差分的に符号化されるかもしれない（ブロック６１６）。差分ＣＱＩ情報は、表１（例、Ｙ、ΔＸ、ΔＹ、ΔΔＸ、およびΔΔＹ）において示された情報のうちのいずれか、および／または他のいくつかの情報を含むかもしれない。差分ＣＱＩ情報および空間的状態情報は、フィードバックとして送信されるかもしれない（ブロック６１８）。
【００８４】
ブロック６１４について、ＣＱＩ値は、参照ＣＱＩ値に関して複数の空間的チャネルおよび複数のサブバンドを横切って差分的に符号化されるかもしれない。この参照ＣＱＩ値は、指定のサブバンド上の指定の空間的チャネルのＣＱＩ値、指定のサブバンド上のすべての空間的チャネルの平均ＣＱＩ値、全ての空間的チャネルおよび全てのサブバンドの平均ＣＱＩ値、などかもしれない。参照ＣＱＩ値は、差分ＣＱＩ情報と共に送信されるかもしれない。
【００８５】
ブロック６１４における差分符号化は、種々の方式において行なわれるかもしれない。ＣＱＩ値は、最初に複数の空間的チャネルを横切って、次に複数のサブバンドを横切って、差分的に符号化されるかもしれない。あるいは、ＣＱＩ値は、最初に複数のサブバンドを横切って、次に複数の空間的チャネルを横切って、差分的に符号化されるかもしれない。
【００８６】
複数の空間的チャネルは、指定の空間的チャネルおよび少なくとも１つの非指定の空間的チャネルを含むかもしれない。複数のサブバンドは、指定のサブバンドおよび少なくとも１つの非指定のサブバンドを含むかもしれない。少なくとも１つの差分ＣＱＩ値（例、Ｙｎ）は、そのサブバンド上の空間的チャネルのＣＱＩ値に基づいて  各サブバンド上の少なくとも１つの非指定の空間的チャネルについて決定されるかもしれない。各非指定のサブバンドについて、その非指定のサブバンド上の指定の空間的チャネルのＣＱＩ値と、指定のサブバンドまたは隣接したサブバンドのいずれかの上の指定の空間的チャネルのＣＱＩ値との間の差分（例、ΔＸｎ）は、決定されるかもしれない。各非指定のサブバンドについて、その非指定のサブバンド上の少なくとも１つの非指定の空間的チャネルについての少なくとも１つの差分ＣＱＩ値（例、Ｙｎ）と、指定のサブバンドか隣接サブバンドのいずれかの上の少なくとも１つの非指定の空間的チャネルについての少なくとも１つの差分ＣＱＩ値（例、Ｙｌ，Ｙｎ−１，またはＹｎ＋１）との間の、差分（例、ΔＹｎ）も、さらに決定されるかもしれない。各非指定のサブバンドについて、指定の空間的チャネルの差分ＣＱＩ値（例、Ｘｎ）、および少なくとも１つの非指定の空間的チャネルの少なくとも１つの差分ＣＱＩ値（例、Ｙｎ）は、１つのインデックスにマップされるかもしれない。それは、その非指定のサブバンドについての差分ＣＱＩ情報として送信されるかもしれない。
【００８７】
図７は、空間と周波数を横切る差分符号化でチャネル状態情報を報告する装置７００の設計を示す。装置７００は、複数のサブバンド上の複数の空間的チャネルについて空間的状態情報を決定するための手段（モジュール７１２）、複数のサブバンド上の複数の空間的チャネルについてＣＱＩ値を得るための手段（モジュール７１４）、差分ＣＱＩ情報を得るために複数の空間的チャネルおよび複数のサブバンドを横切ってＣＱＩ値を差分的に符号化するための手段（モジュール７１６）、およびフィードバックとして差分ＣＱＩ情報および空間的状態情報を送信するための手段（モジュール７１８）を含んでいる。モジュール７１２〜７１８は、プロセッサ、エレクトロニクス装置、ハードウェアデバイス、エレクトロニクス構成要素、論理回路、メモリ、など、またはそれらの任意の組合せを含むかもしれない。
【００８８】
図８は、空間、周波数および時間を横切る差分符号化によってチャネル状態情報を報告する処理８００の設計を示す。空間的状態情報は、複数のサブバンド上の複数の空間的チャネルについて決定されるかもしれない（ブロック８１２）。ＣＱＩ値は、複数の時間区間における複数のサブバンド上の複数の空間的チャネルについて得られるかもしれない（ブロック８１４）。差分ＣＱＩ情報を得るために、ＣＱＩ値は、複数の空間的チャネル、複数のサブバンド、および複数の時間区間を横切って差分的に符号化されるかもしれない（ブロック８１６）。差分ＣＱＩ情報および空間的状態情報は、フィードバックとして送信されるかもしれない（ブロック８１８）。
【００８９】
ブロック８１６について、ＣＱＩ値は、その時間区間について差分ＣＱＩ値（例、Ｙ、ΔＸおよびΔＹ）を得るために、各時間区間において、複数の空間的チャネルおよび複数のサブバンドを横切って差分的に符号化されるかもしれない。ＣＱＩ値は、最初に複数の空間的チャネルを横切って、次に複数のサブバンドを横切って、差分的に符号化されるかもしれない。複数の時間区間は、指定時間区間および少なくとも１つの非指定時間区間を含むかもしれない。各非指定時間区間について、その非指定時間区間の差分ＣＱＩ値と前の時間区間の差分ＣＱＩ値の間の差分（例、ΔΔＸとΔΔＹ）は決定されるかもしれない。
【００９０】
ブロック８１８について、指定時間区間の差分ＣＱＩ値（例、Ｙ、ΔＸ、ΔＹ、など）は、指定時間区間についての差分ＣＱＩ情報として送信されるかもしれない。各非指定時間区間ごとに決定された、差分ＣＱＩ値における差分（例、ΔΔＸ、ΔΔＹ、など）は、その非指定時間区間についての差分ＣＱＩ情報として送信されるかもしれない。
【００９１】
図９は、空間、周波数および時間を横切る差分符号化によってチャネル状態情報を報告する装置９００の設計を示す。装置９００は、複数のサブバンド上の複数の空間的チャネルについて空間的状態情報を決定するための手段（モジュール９１２）、複数の時間区間において複数のサブバンド上の複数の空間的チャネルについてＣＱＩ値を得るための手段（モジュール９１４）、差分ＣＱＩ情報を得るために複数の空間的チャネル、複数のサブバンド、および複数の時間区間を横切ってＣＱＩ値を差分的に符号化するための手段（モジュール９１６）、フィードバックとして差分ＣＱＩ情報および空間的状態情報を送信するための手段（モジュール９１８）、を含んでいる。モジュール９１２〜９１８は、プロセッサ、エレクトロニクス装置、ハードウェアデバイス、エレクトロニクス構成要素、論理回路、メモリ、など、またはそれらの任意の組合せを含むかもしれない。
【００９２】
図１０は、チャネル状態情報を異種混合に報告する処理１０００の設計を示す。ＣＱＩ情報は、第１の動作モード（例、スケジュール・モード）の間、第１の報告モードにしたがって報告されるかもしれない（ブロック１０１２）。ＣＱＩ情報は、第２の動作モード（例、非スケジュール・モード）の間、第２の報告モードにしたがって報告されるかもしれない（ブロック１０１４）。ＣＱＩ情報は、第１の報告モードにおいて第１のレートで送信されるかもしれない、そして第２の報告モードにおいて第２のレートで送信されるかもしれない。第２のレートは、第１レートより遅いかもしれない。
【００９３】
第１の報告モードについて、ＣＱＩ値は、送信のために利用可能な複数のサブバンドの中から選択された少なくとも１つのサブバンド上の複数の空間的チャネルについて得られるかもしれない。ＣＱＩ値は、第１の報告モードのためのＣＱＩ情報を得るために、複数の空間的チャネルおよび少なくとも１つの選択されたサブバンドを横切って差分的に符号化されるかもしれない。ＣＱＩ値は、選択されたサブバンドを横切って平均されるかもしれない。そして、複数の空間的チャネルの平均ＣＱＩ値は差分的に符号化されるかもしれない。
【００９４】
第２の報告モードについて、ＣＱＩ値は、送信のために利用可能な複数のサブバンド上の複数の空間的チャネルについて得られるかもしれない。ＣＱＩ値は、第２の報告モードのためのＣＱＩ情報を得るために、複数の空間的チャネルおよび複数のサブバンドを横切って差分的に符号化されるかもしれない。
【００９５】
図１１は、チャネル状態情報を異種混合に報告する装置１１００の設計を示す。装置１１００は、第１の動作モード（例、スケジュール・モード）の間、第１の報告モードにしたがってＣＱＩ情報を報告するための手段（モジュール１１１２）、および、第２の動作モード（例、非スケジュール・モード）の間、第２の報告モードにしたがってＣＱＩ情報を報告するため手段の（モジュール１１１４）を含んでいる。モジュール１１１２および１１１４は、プロセッサ、エレクトロニクス装置、ハードウェアデバイス、エレクトロニクス構成要素、論理回路、メモリ、など、またはそれらの任意の組合せを含むかもしれない。
【００９６】
ＯＦＤＭＡシステムは、サブバンド・スケジューリングによって本質的な利得を実現することができるかもしれない。しかしながら、システム中のサブバンドの数は少なくないかもしれない。空間−周波数の差分ＣＱＩ符号化（例、図４Ｂにおける第４の報告スキーム）または空間−周波数−時間の差分ＣＱＩ符号化（例、図４Ｃにおける第５の報告スキーム）は、ＭＩＭＯ−ＯＦＤＭＡ動作におけるフィードバック・オーバヘッドを縮小することができるかもしれない。データ・ストリームは、空間ダイバーシティ（例、アンテナの置換、プリコーディング、などを使用）によって送信されるかもしれない。空間ダイバーシティは、シングル入力・シングル出力（ＳＩＳＯ）伝送よりも、隣接サブバンド間の小さなＳＮＲ変動を結果として生じる。より小さなＳＮＲ変動は、空間と周波数を横切る二次元の差分符号化をより有効にするかもしれない。
【００９７】
ここに説明された技法は、種々の手段によって実現されるかもしれない。例えば、これらの技法は、ハードウェア、ファームウェア、ソフトウェアまたは、それらの組合せで実現されるかもしれない。ハードウェア・インプリメンテーションについて、技法を実行するために使用される処理装置は、１つ以上の、特定用途向けＩＣ（ＡＳＩＣ）、ディジタル信号プロセッサ（ＤＳＰ）、ディジタル信号処理装置（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、電子機器、ここに説明された機能を行なうことを目指した他の電子ユニット、コンピュータまたはそれらの組合せ内で実現されるかもしれない。
【００９８】
ファームウェアおよび／またはソフトウェア・インプリメンテーションついて、技法は、ここに説明された機能を行なうモジュール（例、手順、機能、など）により実現されるかもしれない。ファームウェアおよび／またはソフトウェア命令は、メモリ（例、図１におけるメモリ１９２）に格納され、プロセッサ（例、プロセッサ１９０）によって実行されるかもしれない。メモリは、プロセッサ内に、またはプロセッサの外部に、実装されるかもしれない。ファームウェアおよび／またはソフトウェア命令は、また、ランダムアクセスメモリ（ＲＡＭ）、読み取り専用メモリ（ＲＯＭ）、不揮発性ＲＡＭ（ＮＶＲＡＭ）、プログラマブルＲＯＭ（ＰＲＯＭ）、電気的消去・書込み可能ＰＲＯＭ（ＥＥＰＲＯＭ）、ＦＬＡＳＨメモリ、コンパクトディスク（ＣＤ）、磁気または光学データ記憶装置などのような他のプロセッサ可読媒体に格納されるかもしれない。
【００９９】
開示についての前述の説明は、任意の当業者がその開示を作るか使用することを可能にするために提供される。開示への種々の変更は、当業者に容易に明白になるであろう。そして、ここに定義された一般的な法則は、開示の精神または範囲から外れずに、他の変形に適用されるかもしれない。したがって、その開示は、ここに説明された例に限定するようには意図されない、ここに開示された法則と新規な特徴に一致する最も広い範囲を与えられるべきである。
【図面の簡単な説明】
【０１００】
【図１】基地局と端末のブロック図を示す。
【図２】Ｎ個のサブバンド上のＭ個の空間的チャネルのＣＱＩ値を示す。
【図３Ａ】空間を横切る差分ＣＱＩ符号化を示す。
【図３Ｂ】周波数を横切る差分ＣＱＩ符号化を示す。
【図３Ｃ】空間と周波数を横切る差分ＣＱＩ符号化を示す。
【図３Ｄ】空間、周波数および時間を横切る差分ＣＱＩ符号化を示す。
【図４Ａ】１つのサブバンドごとに空間を横切る差分ＣＱＩ符号化を示す。
【図４Ｂ】空間と周波数を横切る差分ＣＱＩ符号化を示す。
【図４Ｃ】空間、周波数および時間を横切る差分ＣＱＩ符号化を示す。
【図５】異種混合（heterogeneous）のＣＱＩ報告を示す。
【図６】空間と周波数を横切る差分符号化についてのチャネル状態情報を報告するための処理を示す。
【図７】空間と周波数を横切る差分符号化についてのチャネル状態情報を報告するための装置を示す。
【図８】空間、周波数および時間を横切る差分符号化についてのチャネル状態情報を報告するための処理を示す。
【図９】空間、周波数および時間を横切る差分符号化についてのチャネル状態情報を報告するための装置を示す。
【図１０】チャネル状態情報を異種混合に報告するための処理を示す。
【図１１】チャネル状態情報を異種混合に報告するための装置を示す。
【図１】
2009531993.tif 000009
【図２】
2009531993.tif 000010
【図３Ａ】
2009531993.tif 000011
【図３Ｂ】
2009531993.tif 000012
【図３Ｃ】
2009531993.tif 000013
【図３Ｄ】
2009531993.tif 000014
【図４Ａ】
2009531993.tif 000015
【図４Ｂ】
2009531993.tif 000016
【図４Ｃ】
2009531993.tif 000017
【図５】
2009531993.tif 000018
【図６】
2009531993.tif 000019
【図７】
2009531993.tif 000020
【図８】
2009531993.tif 000021
【図９】
2009531993.tif 000022
【図１０】
2009531993.tif 000023
【図１１】
2009531993.tif 000024
【国際調査報告】
2009531993.tif 000025
2009531993.tif 000026
2009531993.tif 000027